(57)【特許請求の範囲】
【請求項１】
車両のフロントガラスの前方に文字情報の虚像を表示するヘッドアップディスプレイ装置であって、
前記文字情報として表示が要求されている表示要求文字列の文字数が、前記表示要求文字列を表示可能な最大文字数を超えているか否かを判定する文字数判定部と、
他の文字列と区別するためのキーワード又は前記キーワード内の単語が、前記表示要求文字列の末尾部分に含まれているか否かを判定するキーワード判定部と、
前記表示要求文字列の文字数が前記最大文字数を超えていると前記文字数判定部により判定され且つ前記キーワード又は前記単語が前記末尾部分に含まれていると前記キーワード判定部により判定された場合、前記表示要求文字列の頭文字からの先頭文字列と前記キーワードとを組み合わせた組み合わせ文字列を、前記最大文字数を超えない範囲で生成する文字列生成部と、
前記文字列生成部により生成された前記組み合わせ文字列を前記フロントガラスに投影する投影部とを備える、ヘッドアップディスプレイ装置。
【発明の詳細な説明】
【技術分野】
【０００１】
本発明は、ヘッドアップディスプレイ装置に関する。
【背景技術】
【０００２】
従来、表示部の曲選択画面において、アルバムに含まれる曲名を表示させる表示処理部を備える車載用オーディオ装置が知られている（例えば、特許文献１を参照）。
【先行技術文献】
【特許文献】
【０００３】
【特許文献１】特開２００８−１８６５０３号公報
【発明の概要】
【発明が解決しようとする課題】
【０００４】
ヘッドアップディスプレイ装置が交差点名や曲名などの文字列を表示できる文字数には、安全上の観点等から上限がある。従来のヘッドアップディスプレイ装置は、文字列内の全ての文字を表示できない場合には、頭文字からの先頭文字列のみを表示し、残りの末尾部分の表示を省略することがある。しかしながら、末尾部分の表示を省略する表示形態では、車両の乗員は、先頭部分が同じで末尾部分が異なる文字列により表現される文字情報の相違を見分けることができない場合がある。
【０００５】
そこで、文字列内の全ての文字を表示できない場合でも、先頭部分が同じで末尾部分が異なる文字列により表現される文字情報の相違を、車両の乗員が見分けることが可能となる、ヘッドアップディスプレイ装置の提供を目的とする。
【課題を解決するための手段】
【０００６】
上記目的を達成するため、一つの案では、
車両のフロントガラスの前方に文字情報の虚像を表示するヘッドアップディスプレイ装置であって、
前記文字情報として表示が要求されている表示要求文字列の文字数が、前記表示要求文字列を表示可能な最大文字数を超えているか否かを判定する文字数判定部と、
他の文字列と区別するためのキーワード又は前記キーワード内の単語が、前記表示要求文字列の末尾部分に含まれているか否かを判定するキーワード判定部と、
前記表示要求文字列の文字数が前記最大文字数を超えていると前記文字数判定部により判定され且つ前記キーワード又は前記単語が前記末尾部分に含まれていると前記キーワード判定部により判定された場合、前記表示要求文字列の頭文字からの先頭文字列と前記キーワードとを組み合わせた組み合わせ文字列を、前記最大文字数を超えない範囲で生成する文字列生成部と、
前記文字列生成部により生成された前記組み合わせ文字列を前記フロントガラスに投影する投影部とを備える、ヘッドアップディスプレイ装置が提供される。
【０００７】
本案に係るヘッドアップディスプレイ装置によれば、前記表示要求文字列の文字数が前記表示要求文字列を表示可能な最大文字数を超え、且つ、他の文字列と区別するためのキーワード又は前記キーワード内の単語が前記表示要求文字列の末尾部分に含まれている場合、前記フロントガラスの前方に虚像として表示される文字情報には、他の文字列と区別するための前記キーワードが含まれている。したがって、前記表示要求文字列内の全ての文字を表示できない場合でも、先頭部分が同じで末尾部分が異なる文字列により表現される文字情報の相違を、車両の乗員は見分けることが可能となる。
【発明の効果】
【０００８】
本案によれば、文字列内の全ての文字を表示できない場合でも、先頭部分が同じで末尾部分が異なる文字列により表現される文字情報の相違を、車両の乗員が見分けることが可能となる。
【図面の簡単な説明】
【０００９】
【図１】ヘッドアップディスプレイ装置の構成の一例を示すブロック図である。
【図２】車両のフロントガラスの前方に表示される虚像の表示レイアウトの一例を示す図である。
【図３】ヘッドアップディスプレイ装置の制御装置４０の動作の一例を示すフローチャートである。
【図４】頭文字からの先頭文字列のみを表示し、残りの末尾部分の表示を省略する表示形態の一例（比較例）を示す。
【図５】頭文字からの先頭文字列と、他の文字列と区別するためのキーワードとを組み合わせた組み合わせ文字列の表示形態の一例（実施例）を示す。
【発明を実施するための形態】
【００１０】
以下、本実施形態を図面を参照して説明する。
【００１１】
図１は、車両１０に搭載されたヘッドアップディスプレイ装置３０の構成の一例を示すブロック図である。ヘッドアップディスプレイ装置３０は、車両１０に搭載されたフロントガラスの前方に文字情報の虚像を表示する。フロントガラスの前方に文字情報の虚像が表示されることにより、車両１０の乗員は車両１０の前方の視界内に当該文字情報を視認可能となる。ヘッドアップディスプレイ装置３０は、制御装置４０と、投影部５０とを備える。制御装置４０は、表示要求送信部２０が送信した表示要求に基づいて、投影部５０の投影動作を制御する。
【００１２】
表示要求送信部２０は、文字情報を表現する文字列の表示要求を制御装置４０に対して送信する文字列表示要求機能と、図形情報を表現する図の表示要求を制御装置４０に対して送信する図表示要求機能とを備える。表示要求送信部２０は、例えば、車両１０に搭載されている。表示要求送信部２０の具体例として、案内経路上の交差点名等の文字列の表示や矢印等の図の表示を要求するナビゲーション装置、曲名等の文字列の表示を要求する音楽プレーヤーなどが挙げられる。ナビゲーション装置が、曲名等の文字列の表示を要求してもよい。
【００１３】
制御装置４０は、表示要求受信部４１と、文字数判定部４２と、キーワード判定部４３と、文字列生成部４４と、図生成部４５とを有する。表示要求受信部４１と、文字数判定部４２と、キーワード判定部４３と、文字列生成部４４と、図生成部４５との各機能は、例えば、中央演算処理装置（ＣＰＵ）を備えるマイクロコンピュータにより実現される。各機能の詳細については後述する。
【００１４】
投影部５０は、文字列生成部４４により生成された文字列と、図生成部４５により生成された図とを、車両１０のフロントガラスに投影する。投影部５０は、例えば、車両１０のフロントガラスの車内側表面に対向するインストルメントパネルに設置される装置でもよいし、車両１０の車室天井部（例えば、サンバイザー）に設置される装置でもよい。
【００１５】
投影部５０は、例えば、表示器と、ミラーとを備える。表示器は、文字列生成部４４により生成された文字列を形成する表示光を出射するとともに、図生成部４５により生成された図を形成する表示光を出射する。ミラーは、表示器から出射された表示光を反射させてフロントガラスに投影する。
【００１６】
図２は、車両１０のフロントガラスの前方に表示される虚像５１の表示レイアウトの一例を示す図である。虚像５１は、複数の表示エリアに区分されている。虚像５１の右側領域である表示エリア５２には、表示エリア５２の上側領域である文字列表示エリア５３と、表示エリア５２の下側領域である図表示エリア５４とが含まれている。文字列表示エリア５３には、文字列生成部４４により生成された文字列が表示され、図表示エリア５４には、図生成部４５により生成された図が表示される。
【００１７】
図３は、ヘッドアップディスプレイ装置３０の制御装置４０の動作の一例を示すフローチャートである。制御装置４０は、図３に示される一連の処理ステップを含む処理動作を周期的に繰り返して実行する。
【００１８】
ステップＳ１２で、表示要求受信部４１は、文字情報を表現する文字列の表示要求を表示要求送信部２０から受信したか否かを判定する。文字情報を表現する文字列の表示要求が表示要求受信部４１により受信されていない場合、今回の処理周期の処理動作は終了する。一方、文字情報を表現する文字列の表示要求が表示要求受信部４１により受信された場合、ステップＳ１４の処理が開始する。
【００１９】
ステップＳ１４で、文字数判定部４２は、文字情報として表示が要求されている文字列（以下、「表示要求文字列Ｒ」と称する）の文字数ｎが、表示要求文字列Ｒを文字列表示エリア５３で表示可能な最大文字数Ｎを超えているか否かを判定する。文字数ｎが最大文字数Ｎを超えていないと文字数判定部４２により判定された場合、ステップＳ２２の処理が開始する。一方、文字数ｎが最大文字数Ｎを超えていると文字数判定部４２により判定された場合、ステップＳ１６の処理が開始する。
【００２０】
ステップＳ１６で、キーワード判定部４３は、他の文字列と区別するためのキーワード又は当該キーワード内の単語が、表示要求文字列Ｒの末尾部分に含まれているか否かを判定する。「表示要求文字列Ｒの末尾部分」とは、表示要求文字列Ｒの最後尾の１文字、又は、当該最後尾の１文字を含む後半文字列である。以下、他の文字列と区別するためのキーワードを、「キーワードＫ」と称し、他の文字列と区別するためのキーワード内の単語を、「単語Ｗ」と称する。
【００２１】
キーワードＫ及び単語Ｗが表示要求文字列Ｒの末尾部分に含まれていないとキーワード判定部４３により判定された場合、ステップＳ１８の処理が開始する。ステップＳ１８で、文字列生成部４４は、表示要求文字列Ｒの頭文字からの先頭文字列と、当該先頭文字列に続く残りの末尾部分の省略記号（例えば、「・・・」等の点列）とを組み合わせた省略文字列を最大文字数Ｎを超えない範囲で生成する。
【００２２】
例えば、表示要求文字列Ｒが「△△△十字街」であり、最大文字数Ｎが５に設定されている場合、文字列生成部４４は、省略文字列「△△△十字・・・」を生成する。なお、この場合、点列「・・・」の文字数は、最大文字数Ｎに含まれていないとする。
【００２３】
一方、キーワードＫ又は単語Ｗが表示要求文字列Ｒの末尾部分に含まれているとキーワード判定部４３により判定された場合、ステップＳ２０の処理が開始する。ステップＳ２０で、文字列生成部４４は、表示要求文字列Ｒの頭文字からの先頭文字列とキーワードＫとを組み合わせた組み合わせ文字列を最大文字数Ｎを超えない範囲で生成する。
【００２４】
例えば、表示要求文字列Ｒとして、交差点名がある。車両１０の走行路上で前後する交差点名が類似する場合、
（パターン１）方向・方角等を表す末尾部分の最後尾の１文字のみが異なる場合
例：「△△記念公園西」「△△記念公園前」など
（パターン２）名称の末尾部分の番地のみが異なる場合
例：「○○山２丁目」「○○山４丁目」など
の上記の２パターンになることが多い。
【００２５】
文字列生成部４４は、車両１０の走行路上で前方又は後方の類似の交差点名との区別が可能となる重要なキーワードＫが表示されるように、組み合わせ文字列を生成する。例えば、表示要求文字列Ｒを表示可能な最大文字数をＮ、キーワードＫの文字数をｍとする場合、文字列生成部４４は、頭文字から（Ｎ−ｍ）番目までの先頭文字列に、キーワードＫを組み合わせた組み合わせ文字列を生成する。
【００２６】
例えばパターン１において、文字数ｎが最大文字数Ｎを超え、且つ、「北」「南」「西」「東」「前」のいずれかのキーワードＫが表示要求文字列Ｒの末尾部分に含まれている場合を考える。この場合、キーワードＫの文字数ｍが１文字である。よって、文字列生成部４４は、頭文字から（Ｎ−１）番目までの先頭文字列に、キーワードＫを組み合わせた組み合わせ文字列を生成する。
【００２７】
また、例えばパターン２において、文字数ｎが最大文字数Ｎを超え、且つ、「丁目」「番地」のいずれかの単語Ｗが表示要求文字列Ｒの末尾部分に含まれている場合を考える。この場合、「２丁目」「３番地」などがキーワードＫに相当し、「丁目」「番地」などが、単語Ｗに相当する。したがって、キーワードＫの文字数ｍは、３文字である。よって、文字列生成部４４は、頭文字から（Ｎ−３）番目までの先頭文字列に、キーワードＫを組み合わせた組み合わせ文字列を生成する。
【００２８】
一方、表示要求文字列Ｒとして、オーディオフィードバック表示の曲名がある。例えば、クラシック音楽では、連続する曲の前後で類似した名前（交響曲○番第△楽章など）が並ぶ。前後の曲と区別する際に重要なのは、「何番目の楽章なのか」である。文字列生成部４４は、頭文字から（Ｎ−ｍ）番目までの先頭文字列に、キーワードＫを組み合わせた組み合わせ文字列を生成する。
【００２９】
例えば、文字数ｎが最大文字数Ｎを超え、且つ、「楽章」が表示要求文字列Ｒの末尾部分に含まれている場合を考える。この場合、「楽章」は、単語Ｗの一例であり、「１楽章」がキーワードＫの一例である。したがって、キーワードＫの文字数ｍは、３文字である。よって、文字列生成部４４は、頭文字から（Ｎ−３）番目までの先頭文字列に、キーワードＫを組み合わせた組み合わせ文字列を生成する。
【００３０】
また、文字列生成部４４は、頭文字から（Ｎ−ｍ）番目までの先頭文字列と、キーワードＫとの間に、「・・・」等の省略記号を挟んだ組み合わせ文字列を生成することにより、文字が省略されていることを明示できる。この場合、省略記号の文字数は、最大文字数Ｎに含まれていないとする。
【００３１】
ステップＳ２２で、文字数判定部４２は、文字数ｎが最大文字数Ｎ以下であるとステップＳ１４で判定された表示要求文字列Ｒを投影部５０に投影させる。あるいは、ステップＳ２２で、文字列生成部４４は、ステップＳ１８で生成された省略文字列又はステップＳ２２で生成された組み合わせ文字列を投影部５０に投影させる。
【００３２】
したがって、本実施形態によれば、投影部５０は、交差点名の表示において、限られた表示可能文字数の中で、車両１０の走行路上で前後する類似の交差点名を区別できる文字列を表示できる。また、投影部５０は、曲名の表示において、投影部５０は、限られた表示可能文字数の中で、前後の類似する曲名を区別できる文字列を表示できる。
【００３３】
例えば、図４は、頭文字からの先頭文字列のみを表示し、残りの末尾部分の表示を省略する表示形態の一例（比較例）を示す。図５は、頭文字からの先頭文字列と、他の文字列と区別するためのキーワードとを組み合わせた組み合わせ文字列の表示形態の一例（実施例）を示す。図４及び図５は、「○○県立△△大学北」の表示が要求されている場合を例示する。
【００３４】
図４の比較例では、最大文字数Ｎが７文字に設定されている場合、走行路上で前後の類似の交差点名と見分けるために必要な末尾の１文字「北」が欠けてしまう。これに対し、図５の実施例では、末尾の１文字「北」は必ず表示されるように、頭文字からの先頭文字列の６文字と、末尾の１文字「北」とを組み合わせた組み合わせ文字列を表示することができる。なお、図４及び図５では、「・・・」等の省略記号の文字数は、最大文字数Ｎに含まれていないとする。
【００３５】
以上、ヘッドアップディスプレイ装置を実施形態により説明したが、本発明は上記実施形態に限定されるものではない。他の実施形態の一部又は全部との組み合わせや置換などの種々の変形及び改良が、本発明の範囲内で可能である。
【００３６】
例えば、「・・・」等の省略記号の文字数を最大文字数Ｎに含めるか否かは設計的に決めればよいので、省略記号の文字数が最大文字数Ｎに含まれるように設計されてもよいし含まれないように設計されてもよい。
【符号の説明】
【００３７】
１０  車両
２０  表示要求送信部
３０  ヘッドアップディスプレイ装置
４０  制御装置
４１  表示要求受信部
４２  文字数判定部
４３  キーワード判定部
４４  文字列生成部
４５  図生成部
５０  投影部
５１  虚像
５２  表示エリア
５３  文字列表示エリア
５４  図表示エリア
【図１】
0006524932.tif 000002
【図２】
0006524932.tif 000003
【図３】
0006524932.tif 000004
【図４】
0006524932.tif 000005
【図５】
0006524932.tif 000006